(57)【要約】【課題】  エアゾール容器に取り付ける間欠噴射用釦において、後噴射の発生を無くす。【解決手段】  エアゾール容器２のステム５上に取り付けられる間欠噴射用釦１０Ａが、ハウジング１１、ハウジング１１内に設けられ、ステム５に連通するシリンダ１３、シリンダ１３内に形成された圧力室２４、圧力室２４の内圧に応じて圧力室２４の開閉を繰り返す弁体１６、１７、弁体１６、１７を介して圧力室２４と連通する噴射口２０を有する。この間欠噴射用釦１０Ａには、さらに、圧力室２４の内圧に応じて膨張又は収縮する圧力調整装置３０が圧力室２４とステム５の間の連通路１４に付設されている。【選択図】  図１
2005169289.tif 000002
【特許請求の範囲】
【請求項１】
エアゾール容器のステム上に取り付けられる間欠噴射用釦であって、ハウジング、ハウジング内に設けられ、ステムに連通するシリンダ、シリンダ内に形成された圧力室、圧力室の内圧に応じて圧力室の開閉を繰り返す弁体、弁体を介して圧力室と連通する噴射口を有し、さらに、圧力室の内圧に応じて膨張又は収縮する圧力調整装置が圧力室とステムの間に設けられている間欠噴射用釦。
【請求項２】
圧力調整装置が伸縮性樹脂から形成されている請求項１記載の間欠噴射用釦。
【請求項３】
圧力調整装置がハウジング内部に設けられている請求項１又は２記載の間欠噴射用釦。
【請求項４】
圧力調整装置がハウジングの外表面に露出するように設けられ、圧力調整装置を覆うカバーを有する請求項１又は２記載の間欠噴射用釦。
【請求項５】
請求項１〜４のいずれかに記載の間欠噴射用釦がエアゾール容器に取り付けられている間欠噴射容器。
【発明の詳細な説明】
【技術分野】
【０００１】
本発明は、エアゾール容器に取り付けられる間欠噴射用釦に関する。
【背景技術】
【０００２】
エアゾール容器の間欠噴射用釦は、該釦を操作してエアゾール容器のバルブを開口させている間に、エアゾール容器の内容物を噴射口からパルス状に噴射させるものである。
【０００３】
間欠噴射用釦を取り付けたエアゾール容器を、育毛剤や血行促進剤等の噴出装置として使用すると、皮膚や頭皮に剤を行き渡らせると共に、マッサージ効果を得ることができる。
【０００４】
間欠噴射用釦の構造としては種々のものが知られているが、例えば、エアゾール容器のステムに連通するシリンダ、シリンダ内に形成された圧力室、コイルバネ等で付勢され、圧力室の内圧に応じてシリンダ内を移動し、圧力室の開閉を繰り返す弁体、弁体を介して圧力室と連通する噴射口を備えたものがある。この間欠噴射用釦によれば、該釦をエアゾール容器側に押し込むことによりステムを押し下げ、エアゾールバルブを開口し、内容物を圧力室に流入させている間に、圧力室の内圧が所定の圧力より高くなると弁体が開口して内容物を噴射口から噴射させ、その噴射により圧力室の内圧が低くなると弁体が閉じて噴射を中断させ、噴射の中断により圧力室の内圧が高くなると弁体が開いて内容物を再度噴射させる。そしてこの噴射と中断を、釦を押し込んでいる間中繰り返し、内容物をパルス状に噴射させる（特許文献１、特許文献２）。
【０００５】
間欠噴射用釦においては、押し込み操作を解除して内容物の噴射を停止させた後、１ショットの後噴射が生じる場合がある。そこで、押し込み操作を解除したときに、噴射口の前方が遮蔽体で覆われるようにすることが提案されている（特許文献３）。
【特許文献１】特開２０００−３３５６６３号公報
【特許文献２】特開平７−９６２２６号公報
【特許文献３】特開２００２−２８４０号公報
【発明の開示】
【発明が解決しようとする課題】
【０００６】
しかしながら、特許文献３に記載のように、押し込み操作を解除したときに噴射口の前方が遮蔽体で覆われるようにすると、後噴射した内容物が遮蔽体に当たってしたたり落ち、周囲を汚すという問題が生じる。
【０００７】
これに対し、本発明は、エアゾール容器に取り付ける間欠噴射用釦において、後噴射の発生を無くすことを目的とする。
【課題を解決するための手段】
【０００８】
本発明者は、間欠噴射用釦で起きる後噴射は、釦の押し込み操作を解除した後に、弁体がシリンダ内で本来の閉塞位置まで戻らず、不安定な位置で停止することにより生じること、これを解消するためには、内容物の噴出を圧力調整手段で付勢し、圧力室内に内容物が過剰に残留しないようにするのが有効であることを見出した。
【０００９】
即ち、本発明は、エアゾール容器のステム上に取り付けられる間欠噴射用釦であって、ハウジング、ハウジング内に設けられ、ステムに連通するシリンダ、シリンダ内に形成された圧力室、圧力室の内圧に応じて圧力室の開閉を繰り返す弁体、弁体を介して圧力室と連通する噴射口を有し、さらに、圧力室の内圧に応じて膨張又は収縮する圧力調整装置が圧力室とステムの間に設けられている間欠噴射用釦を提供する。
【００１０】
また、本発明は、この間欠噴射用釦がエアゾール容器に取り付けられている間欠噴射容器を提供する。
【発明の効果】
【００１１】
本発明の間欠噴射用釦によれば、圧力室の内圧に応じて膨張又は収縮する圧力調整装置が圧力室とステムの間に設けられているので、釦の押し込み操作を解除した後にエアゾール容器の内容物が噴射される際に、圧力室は、付勢部材で付勢された弁体による本来の加圧に加えて、圧力調整装置によっても加圧される。したがって、この噴射により、圧力室や連通路に溜まっていた内容物は不要に残留することなく勢いよく噴射され、噴射後の弁体は、不安定な位置で停止することなく、安定に弁を閉じる状態に戻る。よって、本発明の間欠噴射用釦によれば、噴射後の弁体がシリンダ内で不安定な位置で停止することにより生じる後噴射をなくすことができる。
【発明を実施するための最良の形態】
【００１２】
以下、図面を参照しつつ本発明を具体的に説明する。なお、各図中、同一符号は同一又は同等の構成要素を表している。
【００１３】
図１は、本発明の一実施例の間欠噴射用釦１０Ａをエアゾール容器２に取り付けた本発明の間欠噴射容器１の部分断面図であり、釦内がエアゾール容器２の内容物で満たされていない初期状態を表している。図２Ａ〜図２Ｄは、この間欠噴射用釦１０Ａの作用を説明する断面図である。
【００１４】
この間欠噴射容器１において、エアゾール容器２は耐圧容器からなり、その内部には、例えば、育毛剤、血行促進剤等の原液Ａと、噴射剤Ｇとして、炭酸ガス、窒素ガス、亜酸化窒素ガス等の圧縮ガスやＬＰＧ（液化天然ガス）、ＤＭＥ（ジメチルエーテル）等の液化ガスが充填されている。エアゾール容器２は、マウンテンカップ３の中央部にバルブ４を有し、バルブ４からステム５が起立している。また、原液Ａが間欠噴射用釦１０Ａに供給されるように、バルブ４からチューブ６が延び、エアゾール容器２の底部に達している。
【００１５】
間欠噴射用釦１０Ａは、そのハウジング１１の底部に、エアゾール容器２のステム５に嵌合するステム嵌合部１２を有し、内部に、有底筒状のシリンダ１３と、該シリンダ１３とステム５を連通させる連通路１４を有する。
【００１６】
シリンダ１３はその底部に孔１５を有し、内部に筒状の第１の弁１６と、第１の弁１６に貫挿する第２の弁１７が設けられている。第１の弁１６はその外周をシリンダ１３の内周面に気密に摺接する。第２の弁１７は、第１の弁１６のシリンダ１３底部側開口端を密封することのできる内側部分１８と、内側部分１８に被さる外側部分１９からなり、外側部分１９の一端は噴出口２０を形成している。
【００１７】
ハウジング１１の噴出口２０側の面にはキャップ２１が嵌められ、その内側に第１の弁１６をシリンダ１３の底部側に付勢するコイルバネ状の第１の付勢部材２２と第２の弁１７をシリンダ１３の底部側に付勢するコイルバネ状の第２の付勢部材２３とが設けられている。そして間欠噴射用釦１０Ａの初期状態において、付勢部材２２により、第１の弁１６はその一端がシリンダ１３の底部に突き当てられ、また、第２の付勢部材２３により、第２の弁１７は内側部分１８の一端がシリンダ１３の底部に突き当てられ、この状態において、内側部分１８の端部外周部１８ａと第１の弁１６とが密封されるようなっている。
【００１８】
また、第１の弁１６及び第２の弁１７とシリンダ１３とで画される空間が圧力室２４となる。
【００１９】
ハウジング１１の内部において、連通路１４には圧力調整装置３０が付設されている。圧力調整装置３０は、本発明の間欠噴射用釦に特徴的な構成であり、圧力室２４の内圧に応じて膨張又は収縮する。この圧力調整装置３０は、例えば、耐内容液（原液Ａ、噴射剤）性のあるシリコーン、ポリエチレン等の伸縮性樹脂のシート３１を広げた状態で、中央部に孔部３２を有する板状の円盤状材料３３上に載置し、そのシート３１の周縁部を固定することにより形成することができる。この場合、シート３１の厚さは、０．５〜３ｍｍ程度とすることが好ましい。
【００２０】
この間欠噴射容器１の使用時には、まず、図２Ａに矢印Ｐで示すように、ハウジング１１の頂部を押圧し、ステム５をエアゾール容器２内に押し下げ、ステムラバー２５で閉じられていたバルブ４を開口させる。これにより、エアゾール容器２に充填されている原液Ａが連通路１４を取って釦内に入り、第１の付勢部材２２と第２の付勢部材２３に抗して第１の弁１６と第２の弁１７がシリンダ１３内を一緒に摺動し、圧力室２４の容積を拡大させる。このとき、圧力調整装置３０のシート３１が膨張する。
【００２１】
さらに原液Ａの圧力が増大すると、第２の弁１７はキャップ２１に突き当たるが、第１の弁１６は、第２の弁１７の外側部分１９の外周部に形成されている凸部（外側部分凸部１９ａ）に突き当たるまでシリンダ１３内を更に摺動する。ここで、第２の弁１７がキャップ２１に突き当たる前であって、第１の弁１６が、第２の弁１７の外側部分凸部１９ａに突き当たる近傍の位置においては、第１の弁１６と第２の弁１７は、密閉状態となっているが、図２Ｂに示すように、第２の弁１７がキャップ２１に突き当たった以降は、双方の弁１６、１７の密封部分に間隙が生じて弁が開口状態となり、第１の弁１６が第２の弁１７の外側部分凸部１９ａに突き当たった状態でも双方の弁１６、１７の密封部分には間隙があり、弁は開口している。よって、圧力室２４に溜まり加圧状態となっていた原液Ａが噴出口２０から噴出される。この噴出は、圧力調整装置３０の膨張したシート３１がもとに戻ろうとする復元力によっても加勢される。
【００２２】
噴出により圧力室２４の内圧が低下すると、図２Ｃに示すように、第１の付勢部材２２と第２の付勢部材２３により第１の弁１６と第２の弁１７が押し戻され始め、さらに噴出により圧力室の内圧が低下すると、図２Ｄのように、第１の弁１６と第２の弁１７が初期の位置に戻り、弁が密封状態となり、噴出が中断する。
【００２３】
こうして噴出が中断すると、エアゾール容器２から流入する原液Ａにより、再度図２Ａに示したように、圧力室２４内が加圧され、原液Ａが噴出口２０から噴出される。したがって、この間欠噴射用釦１０Ａによれば、ハウジング１１を押圧し、ステム５をエアゾール容器２に押し込んでいる間中、原液の噴出と中断が繰り返される間欠噴射が行われる。
【００２４】
一方、図３に示すように、ハウジング１１の押圧を解除し、バルブ４が閉じると、第１の弁１６と第２の弁１７は、それぞれ第１の付勢部材２２と第２の付勢部材２３の初期の位置に戻り、弁は安定な密封状態となる。なお、ハウジング１１の押圧を解除するタイミングには、図２Ｂ、図２Ｃに示したように噴出中の場合と、図２Ａ、図２Ｄに示したように噴出の中断中の場合とがあるが、図２Ｂ、図２Ｃに示したように噴出中にバルブ４が閉じた場合には、圧力調整装置３０により噴出が付勢されているので、噴出途中でバルブ４が閉じても圧力室２４内には不要に原液Ａが残留することなく、噴出が完了する。したがって、図３に示すように、第１の弁１６と第２の弁１７は、密閉状態となる。
【００２５】
また、図２Ａに示したように、第１の弁１６と第２の弁１７とが前方位置（図では左位置）にある噴出の中断中にステムラバー２５でバルブ４が閉じた場合には、膨らんでいた圧力調整装置３０により加勢されて圧力室２４内が加圧されることにより、第１の弁１６が更に摺動し原液Ａが少し噴出されることで噴出は完了される。さらに、第１の付勢部材２２と第２の付勢部材２３とにより、第１の弁１６と第２の弁１７とが図３に示す状態（後方位置、図では右位置）となることにより密閉状態として安定する。
【００２６】
また、図２Ｄに示した状態で噴出が中断している間にバルブ４が閉じた場合、第１の弁１６と第２の弁１７とが後方位置（図では右位置）にあり、圧力調整装置３０が膨らんでいる状態も考えられるが、ステムラバー２５でバルブ４が閉じた時点で膨らんでいた圧力調整装置３０の加勢力（収縮）により第１の弁１６と第２の弁１７とが前方（図では左方向）に少し摺動する。しかしながら、第１の弁１６が、第２の弁１７の外側部分凸部１９ａに突き当たる近傍位置までは移動しないので、第２の弁１７の内側部分の一端１８ａと第１の弁１６との密封部分に間隙が生じず噴出が完了する。したがって、この場合にも図３に示すように、第１の弁１６と第２の弁１７は、安定な密閉状態となる。
【００２７】
これに対し、圧力調整装置３０を設けない場合には、図６Ａに示すように、バルブ４を閉じたときに、第１の弁１６と第２の弁１７が初期の位置に戻りきらない状態で噴出を停止する場合がある。そして、外気温の変化、外部振動等の要因で、第１の弁１６と第２の弁１７との密封が破れ、図６Ｂに示すように後噴射が生じる。
【００２８】
図４は、本発明の異なる態様の間欠噴射用釦１０Ｂの初期状態の断面図である。この間欠噴射用釦１０Ｂは、前述の間欠噴射用釦１０Ａの圧力調整装置３０をハウジング１１の頂部に、ハウジング１１の外表面に露出するように設けたものである。ハウジング１１の頂部は、エアゾール容器２から内容物を吐出させる際の押圧部位となるから、本実施例では、圧力調整装置３０を、ポリプロピレン等の硬いカバー７で覆っている。
【００２９】
この間欠噴射用釦１０Ｂにおいても、バルブ４が開き、図５Ａに示すように、原液Ａが圧力室２４に流入し、圧力室２４の内圧を高めるときには圧力調整装置３０も膨張し、図５Ｂに示すように、圧力室２４から原液Ａが噴出される場合には、その噴出を圧力調整装置３０が付勢する。したがって、ハウジングの押圧を解除してバルブ４を閉じた場合には、図４に示す初期状態のように、第１の弁１６と第２の弁１７は、安定な密閉状態となる。
【００３０】
本発明の間欠噴射用釦において、圧力調整装置は、図示した態様に限らず、公知の種々の間欠噴射用釦の圧力室に付設して設けることができる。
【産業上の利用可能性】
【００３１】
本発明の間欠噴射用釦は、育毛剤、血行促進剤等の種々の内容物を間欠噴射するエアゾール容器の釦として使用することができる。
【図面の簡単な説明】
【００３２】
【図１】一実施例の間欠噴射用釦をエアゾール容器に取り付けた間欠噴射容器の初期状態の部分断面図である。
【図２Ａ】エアゾール容器のバルブを開口している間の間欠噴射用釦の作用を示す断面図である。
【図２Ｂ】エアゾール容器のバルブを開口している間の間欠噴射用釦の作用を示す断面図である。
【図２Ｃ】エアゾール容器のバルブを開口している間の間欠噴射用釦の作用を示す断面図である。
【図２Ｄ】エアゾール容器のバルブを開口している間の間欠噴射用釦の作用を示す断面図である。
【図３】エアゾール容器のバルブを閉じた時の、間欠噴射用釦の断面図である。
【図４】異なる実施例の間欠噴射用釦の初期状態の断面図である。
【図５Ａ】エアゾール容器のバルブを開口している間の間欠噴射用釦の作用を示す断面図である。
【図５Ｂ】エアゾール容器のバルブを開口している間の間欠噴射用釦の作用を示す断面図である。
【図６Ａ】圧力調整装置のない間欠噴射用釦の作用を示す断面図である。
【図６Ｂ】圧力調整装置のない間欠噴射用釦の作用を示す断面図である。
【符号の説明】
【００３３】
１    間欠噴射容器
２    エアゾール容器
４    バルブ
５    ステム
１０Ａ、１０Ｂ  間欠噴射用釦
１１    ハウジング
１３    シリンダ
１４    連通路
１６    第１の弁
１７    第２の弁
１８    内側部分
１９    外側部分
２０    噴出口
２１    キャップ
２２    第１の付勢部材
２３    第２の付勢部材
２４    圧力室
３０    圧力調整装置
３１    伸縮性樹脂のシート
３２    孔部
３３    円盤状材料
【図１】
2005169289.tif 000003
【図２Ａ】
2005169289.tif 000004
【図２Ｂ】
2005169289.tif 000005
【図２Ｃ】
2005169289.tif 000006
【図２Ｄ】
2005169289.tif 000007
【図３】
2005169289.tif 000008
【図４】
2005169289.tif 000009
【図５Ａ】
2005169289.tif 000010
【図５Ｂ】
2005169289.tif 000011
【図６Ａ】
2005169289.tif 000012
【図６Ｂ】
2005169289.tif 000013